(57)【要約】【課題】加わる衝撃及び振動を十分に減衰することができるよう、案内及び位置決めが改善された編み機における編み機工具を提供する。【解決手段】長さ方向Ｌに延び、下側に接触面２０を備える針幹部を有する編み機針１１である編み機工具１０に関するにおいて、接触面２０は、ループ形成用に構成された前端部１８の他は平面Ｅで連続的に延び、前端部１８と反対側にある針幹部１２の後端１４の移行部へと達する。前方案内部４５と後方案内部４６の間に、バット２７を有するバット部２６が存在する。各案内部において、案内片持ち梁４７が存在する。案内片持ち梁４７は高さ方向Ｈに針幹部１２から離れるように延び、案内片持ち梁４７の片持ち梁脚４９と下方に配置された針幹部１２の部分との間の間隙５０を形成する。【選択図】図１
2020012226.tif 000002
【特許請求の範囲】
【請求項１】
編み機針（１１）である編み機工具（１０）であって、
長さ方向（Ｌ）に延び、下側に接触面（２０）を備える針幹部（１２）であって、前記針幹部（１２）は前端部（１８）がループ形成用に構成され、前記接触面（２０）は、少なくとも前記前端部（１８）と後端（１４）との間で、単一平面（Ｅ）で連続的に延びる、前記針幹部（１２）と、
前方案内部（４５）では、案内片持ち梁（４７）が前記針幹部（１２）から高さ方向（Ｈ）に延び、後方案内部（４６）では、さらなる案内片持ち梁（４７）が前記針幹部（１２）から前記高さ方向（Ｈ）に延び、
各前記案内片持ち梁（４７）は、前記高さ方向（Ｈ）で下方に配置された前記針幹部（１２）の部分とともに間隙（５０）を形成する片持ち梁脚（４９）を備える、前記前方案内部（４５）及び前記後方案内部（４６）と、
前記前方案内部（４５）と前記後方案内部（４６）との間に配置されるバット部（２６）であって、前記高さ方向に前記針幹部（１２）から延びるバット（２７）が存在し、前記バット（２７）は編み機の駆動装置と協働するよう構成されている、ことを特徴とする前記バット部（２６）と
を備える編み機工具。
【請求項２】
前記間隙（５０）は前記長さ方向（Ｌ）に開かれている、ことを特徴とする請求項１に記載の編み機工具。
【請求項３】
前記案内片持ち梁（４７）は、前記片持ち梁脚（４９）と前記針幹部（１２）を接続する接続脚（４８）を備える、ことを特徴とする請求項１又は２に記載の編み機工具。
【請求項４】
前記接続脚（４８）の長さ方向（Ｌ）に対する傾斜角（α）は２０°から９０°又は２５°から６５°の範囲である、ことを特徴とする請求項３に記載の編み機工具。
【請求項５】
前記案内片持ち梁（４７）の幅（ｓ２）は、前記針幹部（１２）への移行部において、前記針幹部（１２）の最大針幹高（ｚ）の少なくとも１．５倍である、ことを特徴とする請求項１乃至４の何れか１つに記載の編み機工具。
【請求項６】
前記片持ち梁脚（４９）は自らの延長方向と直交する幅（ｓ１）を有し、前記幅（ｓ１）は下方に配置される前記針幹部（１２）のシャンク高（ｚ１）と等しい、ことを特徴とする請求項１乃至５の何れか１つに記載の編み機工具。
【請求項７】
前記後方案内部（４６）の前記案内片持ち梁（４７）の前記片持ち梁脚（４９）は、前記長さ方向（Ｌ）に前記針幹部（１２）の後端（１４）と同じ位置にある脚端（５１）を有する、ことを特徴とする請求項１乃至６の何れか１つに記載の編み機工具。
【請求項８】
前記針幹部（１２）の前方針幹部（１９）は前記前端部に接続し、前記前方針幹部（１９）は少なくとも部分的に前記前方案内片持ち梁（４７）と重なる、ことを特徴とする請求項１乃至７の何れか１つに記載の編み機工具。
【請求項９】
前記バット（２７）は前記針幹部（１２）への遷移領域にバット基礎（２８）を備え、前記バット基礎（２８）の長さ方向（Ｌ）の長さは、前記高さ方向（Ｈ）に前記バット基礎（２８）に隣接するバット上部領域（２９）の長さより短い、ことを特徴とする請求項１乃至８の何れか１つに記載の編み機工具。
【請求項１０】
前記バット基礎（２８）の基礎高（ｂ）は、前記案内部（４５、４６）の針幹高（ｚ１）より高く、及び／又は前記バット基礎（２８）の基礎高（ｂ）は、前記案内片持ち梁（４７）の前記針幹部（１２）の下側からの案内片持ち梁高（ｃ）より低い、ことを特徴とする請求項９に記載の編み機工具。
【請求項１１】
前記バット基礎（２８）は、長さ方向で対向する自らの２つの側面に湾曲部（４０、４１）を有する、ことを特徴とする請求項１乃至１０の何れか１つに記載の編み機工具。
【請求項１２】
前記湾曲部（４０、４１）は、一定の曲率半径（Ｒ２、Ｒ３）を有する、ことを特徴とする請求項１１に記載の編み機工具。
【請求項１３】
前記湾曲部（４０、４１）は変化する曲率半径（Ｒ２、Ｒ３）を有し、前記針幹部（１２）に隣接して最大限の変動曲率半径（Ｒ２、Ｒ３）を有する、ことを特徴とする請求項１１に記載の編み機工具。
【請求項１４】
前記バット（２７）は、前記高さ方向（Ｈ）に前記針幹部（１２）と距離を置いて配置される、少なくとも１つのバット凹み（３４）を備える、ことを特徴とする請求項１乃至１３の何れか１つに記載の編み機工具。
【請求項１５】
前記少なくとも１つのバット凹み（３４）は、前記高さ方向に前記針幹部（１２）と反対側で開かれている、ことを特徴とする請求項１４に記載の編み機工具。
【請求項１６】
前記針幹部（１２）は、前記バット部（２６）に最大１．１ｍｍの針幹高（ｚ２）を有する、ことを特徴とする請求項１乃至１５の何れか１つに記載の編み機工具。
【請求項１７】
前記針幹部（１２）の全長（ｘｇ）は、前記長さ方向（Ｌ）に最大１００ｍｍである、ことを特徴とする請求項１乃至１６の何れか１つに記載の編み機工具。
【発明の詳細な説明】
【技術分野】
【０００１】
本発明は編み機工具に関し、特に編み機、例えば、円形編み機で用いられる編み機針に関する。
【背景技術】
【０００２】
編み機工具はいろいろな形態で知られている。編み機針、例えばべら針又はスライド針は、編成動作中に編み機で案内又は針みぞ内で長さ方向に移動する。その際、編み機工具のバットが編み機のカム装置に係合され、編み機工具をその長さ方向で位置決め又は移動させる。円形（丸）編み機において、編み機針を備えた編成シリンダはカム装置に対して周方向どちらにも回転し、編み機針のバットはカム通路で案内される。この時、バットに編み機針の長さ方向の力が働くだけでなく、横断方向にも直角な力が働く。シンカ又はスライド針のスライダ等のその他の編み機工具は、適切な駆動装置によって編成作業中に編み機中で移動又は位置決めされる。
【０００３】
高い生産性の要件を満たし、その一方で長い寿命を保証するために、編み機工具は複数の部分的に相反する条件を満たす必要がある。高い生産性には、編み機工具の速い移動速度又は加速度が必要となる。これらの加速度により、過度の摩耗現象、例えば、編み機工具の疲労破壊等が発生してはならない。故障した編み機工具の交換には編み機の停止が必要となり、生産性の低下につながる。同様に重要なのは、ループ形成中の故障の発生を避けるために、編み機工具の正確な位置決めができることである。位置決め精度は、案内又は針みぞ、特にみぞの底面に蓄積することがある、汚れにより悪影響を受けることがあってはならない。これらの異なる限界条件を満たすため、完成された編み機工具は全ての条件を十分に考慮し、そして全ての条件を出来るだけ満たした形状でなければならない。
【０００４】
先行技術では複数の異なる編み機工具の構成が提案されてきた。針の重さを減らすため、特許文献１では編み機針のバットに凹部を設けて重さを減らすことが提案されている。
【０００５】
特許文献２は針幹部とバットとを備えた編み機針を開示しており、編み機針の移動のためのこのバットは針幹部から離れるように延びている。針幹は、編み機針の前端とバットとの間に、複数回湾曲するアーチ型のバネ弾力部を備える。この部分は、加速が発生すると減衰効果をもたらす。さらに、特許文献３又は特許文献４から蛇行型に延びる針幹が知られており、編み機針のジャークのような加速の衝撃を減衰し、損傷を回避する。
【０００６】
特許文献５は編成工具を提案しており、その針幹部は少なくとも１つのブリッジを備える。この針幹部は、このブリッジの領域において、案内みぞ又は針みぞの底部から離れて距離を持つ。ブリッジの領域において、針幹部のウェブ部の高さは、１．１ｍｍ又は０．９ｍｍ以下である。
【０００７】
しかし、これらの減衰のための部分において、針幹部のそれぞれの部分は編み機の針みぞの底部に接触せず、汚れが蓄積することがないようになっている。さらに、全長の短い編み機工具の問題は、かかる弧状又は蛇行型のシャフト部は、編み機工具のループ形成及びシャフトでの１つ又は複数のループ保持のための有効動作長を減少させることである。
【０００８】
特許文献６から既知であるのは、丸編み機のカム装置が編み機針を動作させるだけでなく、編成シリンダの径方向外側への回転中の遠心力に対して編み機針を支持することである。
【０００９】
特許文献７は編み機のべら針を開示している。このべら針は、べら針の長さ方向に、間隔を置いて配置された２つのバットとその間の分離領域とを備え、この分離領域は針幹の上縁の高さの下に下向きに延びる。２つのバットが配置されたべら針のバット部において、さらなる面取りを針幹の下側に設け得る。さらなる面取りを、バットから針幹の上側の、針幹部への移行部で行ってよい。針幹がバット部で弱くなるため、バットを通じて挿入される針の加速による衝撃は減衰される。
【先行技術文献】
【特許文献】
【００１０】
【特許文献１】米国特許第３４６４２３７号明細書
【特許文献２】米国特許第５１５４０６９号明細書
【特許文献３】米国特許第５２３１８５５号明細書
【特許文献４】独国特許第６９２１８３０３号明細書
【特許文献５】独国特許第２８２０９２５号明細書
【特許文献６】欧州特許第２７９９６０３号明細書
【特許文献７】独国特許第２２２９８５８号明細書
【発明の概要】
【発明が解決しようとする課題】
【００１１】
本発明の目的は、加わる衝撃及び振動を十分に減衰することができるよう、案内及び位置決めが改善された編み機における編み機工具を提供することである。
【００１２】
この目的は、請求項１に記載の技術的特徴を有する編み機工具により解決される。
【課題を解決するための手段】
【００１３】
本発明の発明性を有する編み機工具は、特に編み機針として形成されたべら針又はスライド針である。この編み機工具は、長さ方向に延び、その下側に接触面を有する針幹部を有する。この接触面は編み機の案内又は針みぞの底部に当接するよう構成されている。針幹部は前端を有し、この前端は前端部に接合されている。前端部において、針幹部はループ形成のための手段、特に針フックを備える。針幹部は長さ方向において、前端部とは反対側に後端を有する。前端部の他は、接触面は単一平面で連続的に後端まで延び、その接触面は半径を有して後端に移行する。針幹部の前端から後端までの全長は、好ましくは最大１００ｍｍである。ループ形成用に構成された前端部の長さは、針幹部の全長の最大５％である。べら針の場合、前端部はべらベアリングを超えて延びないことが好ましく、例えば、針フックとべらベアリングとの間で終端する。
【００１４】
編み機工具は、前方案内部を有し、案内片持ち梁が針幹部から高さ方向に延びる。同様に、後方案内部からさらなる案内片持ち梁が針幹部から高さ方向に延びる。２つの案内部の間にバット部が存在し、バットが針幹部から高さ方向に延びる。このバットは編み機のカム装置又はその他の駆動装置と協働し、編み機の針みぞ又は案内みぞ中で長さ方向に編み機工具を動かすよう構成されている。
【００１５】
各案内片持ち梁は片持ち梁脚を有し、片持ち梁脚はその下方で高さ方向に配置された、針幹部との間の間隙を形成する。少なくとも１つの間隙が、バットと離れる方向に向いた面で、長さ方向に開かれていることが好ましい。片持ち梁脚は、長さ方向に平行又は長さ方向に１５度又は１０度未満の小さな傾斜角で延びてよい。案内片持ち梁及び針幹部は、各案内部において、編み機工具のいわゆるフォーク型の領域を形成する。
【００１６】
特に突起部も窪みもスルーホールも存在しない、連続的に平坦な接触面を有するこの編み機工具の新規な構成により、針幹の領域にスペースが設けられることはない。スペースがあれば、汚物が蓄積し、案内みぞ又は針みぞにおける編み機工具の方向付け又は案内に影響する。案内みぞでの編み機工具の運動中に発生する、汚物の蓄積により助長される摩擦又は摩耗もさらに防止される。この編み機工具は短繊維糸又は綿紡糸を編成するために特別に構成され又は適合されている。かかる糸を使用すると、短繊維糸の糸残留物により、編み機に特に高水準の汚染が発生する。そのため、本発明の編み機工具はかかる汚染物に対して特に耐性があり、かかる糸の編成に特に適している。
【００１７】
案内及び位置決め精度をさらに向上させるため、バット又はバット部の両側に案内部が設けられる。バット又はバット部からこの案内部への距離は等しくても異なってもよい。例えば、両案内部はバット部に直接接合してよい。本発明の１つの態様において、案内部の１つ及び特に前方案内部は直にバット部に隣接してよく、中間部がもう１つの案内部、特に後方案内部とバット部の間に存在してよい。
【００１８】
案内片持ち梁は高さ方向及び／又は横断方向で生じる力に対して針を支え、この横断方向は高さ方向及び長さ方向に直交する。力が片持ち梁脚に高さ方向に働いている場合、片持ち梁脚とその下方に配置される針幹部の領域との間の間隙により、バネ弾力効果が生じる。そのため、これらの力は針幹部に対して直接働かず、少なくとも部分的に案内片持ち梁により受け入れられるか、又は支持され得る。そのようにして、編み機工具の非常に正確な案内及び位置決めが実現する。その構成により、横断方向に延びる軸及び／又は長さ方向に延びる軸の周りに傾く傾向も抑制させることができる。
【００１９】
各案内片持ち梁が針幹部と片持ち梁脚を接続する接続脚を１つ有すると都合が良い。この接続脚の傾斜角は、長さ方向に対して約２０から９０度の範囲、好ましくは約２５から６５度の範囲である。各案内片持ち梁の接続脚は、針幹部から離れるように斜めに延び、同時にバットからも離れるように斜めに延びると好ましい。
【００２０】
本発明の１つの好ましい態様において、各案内片持ち梁の幅は、針幹部への移行部において、針幹部の最大針幹高の少なくとも２倍である。移行部における案内片持ち梁の幅は、長さ方向で測定される。針幹部の針幹高は、下側の接触面と、針幹部の高さ方向での、下側とは反対側にある上側との間の距離である。案内片持ち梁の移行部における幅は、各案内部の針幹高の特に２倍である。
【００２１】
片持ち梁脚は、各案内部の針幹部の針幹高と同じ高さである自らの延長方向と直交する幅を有してよい。針幹高は各案内部において一定であることが好ましい。
【００２２】
後方案内片持ち梁の片持ち梁脚は、針幹部の後端と長さ方向に同じ位置にある自由端を有する。後方案内片持ち梁の片持ち梁脚と針幹部は互いに面一で終端する。そのようにして、案内部又は案内片持ち梁は、編み機工具の全長を長くすることなく、互いの長さ方向の距離を出来るだけ長くすることができる。１つの態様において、前方案内片持ち梁のバットからの距離は、後方案内片持ち梁のバットからの距離より短くてよい。前方案内片持ち梁をバットにできるだけ近く配置して、前端部から前方案内片持ち梁までの針幹部の有効作動長を最大限に長くする。針幹部の前方針幹部は前端部に隣接してよく、前方針幹部は少なくとも部分的に前方案内片持ち梁と重なる。この前方針幹部はループの受け渡しのために設けられており、ループは前端部及び前方針幹部において前方案内片持ち梁の針幹部への接続位置へとスライドすることができる。通常の編成動作では前端部の長さの最大約半分がループ受け取りに使用される。１つの態様においては、前方針幹部の長さの半分がループ受け取り用になるよう設定される。
【００２３】
バットは針幹部への移行領域にバット基礎を有することができ、このバット基礎の針幹部の長さ方向への長さは、高さ方向にバット基礎に隣接するバットのバット上部領域の長さより短い。このバット基礎には、例えば、長さ方向にバットの喉部分を形成することができる。これにより、編み機工具の加速力の発生中に長さ方向にバットに作用する応力を低減することができる。本発明において、接触面は針幹部の全長の全体又はほぼ全体にわたり編み機の案内みぞに当接し、それにより減衰効果はさらに改善することができる。
【００２４】
バット基礎の基礎高が案内部の針幹高より高いと都合がよい。追加として又は代替として、この基礎高は案内片持ち梁の案内片持ち梁高より低くてもよい。案内片持ち梁高は、針幹部の下側から案内脚の上側までの最大距離である。基礎高は、隣接する針幹部の上側を始点とする、バット基礎の高さである。バット基礎と隣接するバット上部領域は、バットの長さ方向における長さが最大となる場所でつながる。
【００２５】
本発明の好ましい態様において、バット基礎は長さ方向で対向する２つの側面にそれぞれ湾曲部を有する。前方案内部に面する湾曲部は、前方案内片持ち梁及び特に前方案内片持ち梁の接続脚に直につなげることができる。後方案内片持ち梁は、後方案内片持ち梁に面するバット基礎の湾曲部と距離をもって配置されることが好ましい。
【００２６】
湾曲部の少なくとも１つ又は両方の曲率半径は、一定でも又は変化してもよい。この可変の曲率半径は、高さ方向で針幹部に隣接する湾曲部の領域で最大となり得る。
【００２７】
バットが少なくとも１つのバット凹みを備えると、さらに都合がよい。このバット凹みは高さ方向に針幹部と距離を置いて配置され、特にバット基礎の外側のバット上部領域にのみ存在する。バット凹みは、高さ方向で針幹部の反対側に開かれていてよい。少なくとも１つのバット凹みにより、編み機工具の総重量を減少させることができる。頻繁に交互する力がバットに働いて長さ方向に編み機工具を加速させるため、バット凹みが完全にバット基礎の外に延びる場合には、バットの過剰な弱化を回避することができる。
【００２８】
本発明の１つの態様において、針幹部のバット部における針幹部の高さは最大１．１ｍｍである。針幹部の高さは、案内部の１つ又は両方において、バット部の針幹部の針幹高より低くても又は最大で同じ高さでもよい。
【００２９】
本発明の好ましい実施例は、特許請求の範囲の従属項、発明の詳細な説明、及び図面に記載される。以下では、本発明の好ましい実施例を、添付の図面を参照しながら詳細に説明する。図は以下の通りである。
【図面の簡単な説明】
【００３０】
【図１】編み機針である編み機工具の実施例を示す概略的側面図である。
【図２】図１の切断線ＩＩ−ＩＩに基づく、図１の編み機針の針幹部の断面である。
【図３】前方案内部及び隣接するバット部の領域における、図１の編み機針の部分の部分的拡大図である。
【図４】後方案内部からバット部までの領域における、図１の編み機工具の部分の部分的拡大図である。
【発明を実施するための形態】
【００３１】
図１は、編み機針１１である編み機工具１０の実施例の側面図である。この編み機針１１は、前端１３と後端１４との間で延びる針幹部１２を有する。この針幹部１２の前端１３は、編み機で編成作業中にループを形成するよう構成されている。この実施例において、針幹部１２の前端１３には針フック１５が形成されている。針フック１５の内側領域の開閉が可能なように、編み機針１１はべら１７の形態の閉鎖要素１６を備える。このべら１７は直角方向Ｑに延びるピボット軸Ａの周りに枢動可能に支持され、べら１７はピボット軸受と反対側のその端部で針フック１５に当接して、フックの内側領域を閉鎖することができる。
【００３２】
針幹部１２は長さ方向Ｌに延びる。実施例において、前端１３と後端１４との間の全長ｘｇは最大１００ｍｍである。
【００３３】
前端部１８は針フック１５の領域で前端１３に向かって延び、この前端部１８がループ形成のための構成になっている。前端１３を始点に、前端部１８は最大でべら１７のべらベアリングの端部にまで延びる。前端部の長さｘ１は、針幹部１２の全長ｘｇの最大５％であることが好ましい。
【００３４】
針幹部１２の前方針幹部１９は、前端部１８に直に隣接する。この領域において、針幹部１２は１つ又は複数のループを受け入れるよう構成され、編成作業中に針幹部１２はそのループを通って延びる。前方針幹部１９の長さ方向Ｌの長さｘ２は、前端部１８の長さｘ１より長い。
【００３５】
編み機針１１の針幹部１２は長さ方向Ｌ及び横断方向Ｑと直交する高さ方向Ｈに針幹高ｚを有し、針幹高ｚは長さ方向で、針幹部１２の異なる部分で変化する。針幹高ｚは、図２に概略的に記載されている。針幹部１２は、高さ方向に見たときの下側で大半が単一平面Ｅで延びて粗度がない接触面２０を有し、この平面Ｅでは突起又は窪みは存在しない。前端部１８及び後端１４への移行径すなわち後端１４のみにおいて、針幹部１２の下側は平面Ｅで延長部から逸脱し、例えば、ループ形成、特に針フック１５形成のための前端部１８を構成することができる。少なくとも針幹部の下側は接触面２０を形成するよう構成され、接触面２０は、針幹部の下側が存在する平面Ｅの最前点と後方点の間において、平面Ｅで連続的に延びる。
【００３６】
接触面２０の反対側において、針幹部１２は上側２１を有する。接触面２０と上側２１とは、針幹部１２の横断方向Ｑで対向する２つの側面２２により接続されている。そのため、針幹部１２は主に長方形の断面を有し、隅の領域は半径を有する曲線でも又は面取りしてもよい（図２）。これに代わり、針幹部１２は異なる断面輪郭、例えば、楕円又は円形の断面も有し得る。
【００３７】
編み機針１１はバット部２６を備え、バット２７は高さ方向Ｈに針幹部１２から離れるように延びる。実施例によると、バット２７と針幹部１２は一体的に形成されている。バット２７は、針幹部１２に高さ方向Ｈで直に隣接するバット基礎２８を備える。針幹部１２と反対側で、バット上部領域２９がバット基礎２８に隣接する。バット基礎２８の長さは、バット上部領域２９と比較して短い。バット上部領域２９は、バット２７の最大長ｘ３及びそのためバット部２６の長さｘ３を規定する。バット上部領域２９は、バット前端３０と、バット後端３１とを備える。バット前端３０及びバット後端３１は、それぞれ高さ方向Ｈに延び、長さ方向Ｌに間隔を置いて配置される。バット前端３０とバット後端３１との間の距離は、バット２７の最大長ｘ３に対応する。図１が示す通り、バット基礎２８は２つのバット縁３０、３１に隣接する。そのため、バット基礎２８に隣接する２つのバット縁３０、３１の端部は、バット基礎２８とバット上部領域２９との間の移行位置３２を定める。遷移位置３２は、図１及び２で点線で示されている。
【００３８】
バット前端３０及びバット後端３１は、バット上端３３により互いにつながっている。実施例において、バット上端３３は長さ方向Ｌに平行な部分でのみ延びる。バット上部領域２９において、バット凹み３４は、横断方向Ｑでバット２７を通じて完全に延びるように形成される。上述の実施例において、バット凹み３４は高さ方向Ｈに針幹部１２と反対側で開放、換言すると、上向きに開かれている。バット凹み３４は、バット上端３３の部分により制限される。
【００３９】
特に図３に見られる通り、バット凹み３４は横断方向Ｑで見て実質的にＶ型の断面を有し、２つの逃げ面３５により形成される。２つの逃げ面３５は高さ方向に対して傾斜して延び、第１の曲率半径Ｒ１を有する湾曲接続部３６を介して互いに接続されている。逃げ面３５と接続部３６は、バット上端３３の部分によりそれぞれ形成される。
【００４０】
バット凹み３４の高さ方向Ｈで見た場合の深さｔは、接続部３６と逃げ面３５に隣接するバット上端３３の間の部分との間の最大距離となる。
【００４１】
前方湾曲部４０を有する縁部は、バット前端３０と針幹部１２の間をバット基礎２８に沿って延びる。後方湾曲部４１を有する縁部は、バット後端３１と針幹部１２の間を延びる。バット基礎２８はバット２７の喉部分を形成し、該喉部分の長さはこれら湾曲部４０、４１によりバット上部領域２９よりも短い。湾曲部４０、４１は、いわゆる凹形縁領域を形成する。前方湾曲部４０は第２の曲率半径Ｒ２を有し、後方湾曲部４１は第３の曲率半径Ｒ３を有する。第２の曲率半径Ｒ２及び／又は第３の曲率半径Ｒ３は少なくとも複数の部分で一定でよく、湾曲部４０、４１は１つ又はそれ以上の隣接する円弧により形成することが可能である。湾曲部４０、４１は、図３の破点線が概略的に示す通り、連続的に変化する曲率半径Ｒ２、Ｒ３により形成されてよい。
【００４２】
２つの湾曲部４０、４１は対称平面について鏡対称であることが好ましく、この対称平面は長さ方向Ｌに直交するよう方向づけられ、バット２７内を延びる。バット２７全体は、この対称平面について対称でよい。
【００４３】
湾曲部４０、４１は、針幹部１２の上側２１へとつながる。バット基礎２８は、針幹部１２の上側２１から移行位置３２、具体的にはバット上部領域２９までの基礎高ｂを有する。実施例において、基礎高ｂは針幹部１２の最大針幹高ｚより高い。
【００４４】
編み機針１１は、その間にバット部２６が配置された２つの案内部、具体的には前方案内部４５と後方案内部４６とを追加的に有する。２つの案内部４５、４６は、実質的に同じに形成される。実施例において、少なくとも前方案内部４５はバット部２６に直に隣接する一方、後方案内部４６はバット部２６と距離を置いて配置される。各案内部４５、４６は、針幹部１２から延びる案内片持ち梁４７を有する。実施例において、各案内片持ち梁４７は、高さ方向Ｈ及び長さ方向Ｌに対して斜めに傾斜して延びる接続脚４８と、長さ方向Ｌに実質的に平行且つそのため針幹部１２と平行な片持ち梁脚４９とを有する。高さ方向Ｈにおいて、片持ち梁脚４９は針幹部１２から距離を置いて配置される。実施例において、案内片持ち梁４７は、針幹部１２の一部分とともに、長さ方向Ｌに片側で開放された間隙５０を形成する。この間隙５０は片持ち梁脚４９と下に配置された針幹部１２の部分との間に配置され、接続脚４８により長さ方向Ｌに片側で制限される。そのため、案内片持ち梁４７及び間隙５０に隣接する針幹部１２の部分は、編み機針１１のフォーク型の部分を形成する。
【００４５】
接続脚４８は、長さ方向Ｌに対する傾斜角α以下で延びる。傾斜角αは少なくとも１５−２０度であり、好ましい実施例では２５から４５度の範囲又は２５から６５度の範囲でよい。接続脚４８は高さ方向Ｈに針幹部１２から離れるように延びるとともに、長さ方向Ｌにはバット２７から離れるように延びる。２つの案内部４５、４６の間隙５０はそれぞれ、バット２７とは反対方向に長さ方向Ｌに向かって開かれている。
【００４６】
上述の実施例において、片持ち梁脚４９は長さ方向Ｌに平行に延びる。片持ち梁脚４９も長さ方向Ｌに対して傾斜して延びてよく、傾斜角は比較的小さい最大１０から１５度の範囲である。
【００４７】
接続脚４８を始点に、片持ち梁脚４９は脚端５１まで延びる。後方案内部４６において、片持ち梁脚４９の脚端５１及び針幹部１２の後端１４は長さ方向Ｌで見ると同じ位置にあるため、面一で終端する。そのため、長さ方向Ｌに直交するよう方向づけられた平面は、後端１４及び脚端５１に接し、後端４０とも脚端５１とも交差しない。
【００４８】
片持ち梁脚４９は、脚端５１近接するように、その延長方向に直交する第１の脚幅ｓ１を有する部分を含む。実施例において、片持ち梁脚４９は長さ方向Ｌに平行に向けられているため、片持ち梁脚４９の第１の脚幅ｓ１は高さ方向Ｈで測定される。第１の脚幅ｓ１は、案内部４５、４６の針幹部の第１の針幹高ｚ１とほぼ同じ大きさである。
【００４９】
接続脚４８は、針幹部１２への移行部に第２の脚幅ｓ２を有する。第２の脚幅ｓ２は、針幹部１２の第１の針幹高ｚ１及び／又は第１の脚幅ｓ１の少なくとも約１．５倍である。第２の脚幅ｓ２は、長さ方向Ｌで測定され、針幹部１２に近接する。
【００５０】
接触面２０と片持ち梁脚４９の上側又は上縁との間の最大距離は、案内片持ち梁高ｃを規定する。高さ方向Ｈにおいて、間隙は脚端５１の領域で間隙高ｄを有する。間隙高ｄは、接続脚４８の下方では減少する。
【００５１】
間隙に隣接する接続脚４８の内縁５２は、第４の曲率半径Ｒ４を有する湾曲部により、針幹部１２の上側２１につながっている。
【００５２】
実施例において、前方案内部４５は直にバット部２６に隣接する。そのため、内縁５２と反対側の、接続脚４８の外縁５３は、前方湾曲部４０に直に接続する。外縁５３と前方湾曲部４０との間のこの接続領域において、針幹部１２は、第１の針幹高ｚ１とは異なり得る第２の針幹高ｚ２を有する。第２の針幹高ｚ２は、最大１．１ｍｍである。実施例において、第２の針幹高ｚ２は第１の針幹高ｚ１より高い。又は、第１の針幹高ｚ１と第２の針幹高ｚ２は等しくてよい。
【００５３】
図１に見られる通り、案内片持ち梁４７及び特に前方案内部４５の片持ち梁脚４９は前方針幹部１９と重なる。そのため、前方針幹部１９は、前方案内部４５の間隙５０へと延びる。
【００５４】
実施例において、前方案内部４５及び後方案内部４６は同じ長さｘ４を有する。この２つの案内部４５、４６の長さは異なってよい。案内部４５、４６の長さｘ４は片側では脚端５１により、もう１つの側で針幹部１２の案内片持ち梁４７からの移行部により制限され、実施例では針幹部１２の上側２１の外縁５３での移行部の位置により制限される。案内部４５、４６の長さｘ４は、バット部２６の長さｘ３とほぼ一致してよい。
【００５５】
図１及び４に見られる通り、後方案内部４６はバット部２６に直に接続せず、後方案内部４６とバット部２６との間には中間部５７が存在し、針幹部５７は実質的に長方形の断面を有し、中間部５７には突起も窪みも存在しない。中間部５７は、長さ方向Ｌに長さｘ５を有する。実施例において、中間部５７の長さｘ５は、バット部２６の長さｘ３及び／又は案内部４５、４６の長さｘ４より短い。その他の実施例において、中間部５７はバット部２６及び／又は案内部４５、４６より長くてよい。針幹部１２は中間部５７に第３の針幹高ｚ３を有する。実施例において、第３の針幹高ｚ３は、第１の針幹高ｚ１又は第２の針幹高ｚ２と同じ高さでよい。
【００５６】
前方針幹部の長さｘ２は、案内部４５、４６の長さｘ４、バット部２６の長さｘ３、及び／又は中間部５７の長さｘ５より長いことが好ましい。長さｘ２のほんの一部、例えば、半分が編成作業中のループ受け取りのために使用されることが多い。しかし、前方針幹部１９の針幹部１２の自由長は、特にバット２７経由で編み機針１１に伝わる衝撃及び振動を減衰する。
【００５７】
案内部４５、４６の案内片持ち梁４７に基づき、編み機針は高さ方向Ｈ及び横断方向Ｑにおいて、長さ方向Ｌに互いに距離を置いて配置した場所で支持されてよい。編み機針１１は、カム装置及び／又は互いに横断方向Ｑで対向する編み機の案内又は針流路の流路壁により支持される。円形（丸）編み機において、例えば、遠心力及びバット２７に側面から作用する力は、カム装置に対する編成シリンダの回転により発生する。加えて、編み機針１１は、バット２７を介してカム装置のカム通路により長さ方向Ｌに加速される。バット基礎２８の喉部分により、特に２つのバット縁３０、３１を介してバット２７に長さ方向Ｌに作用する力は減衰され得るので、編み機針１１への応力が低下し、ループ形成の際の位置決め精度の変動が減少する。編み機針１１の案内及び位置決めは案内片持ち梁４７によりさらに支持され、その片持ち梁脚４９は高さ方向Ｈに針幹部１２と距離を置いて配置されて間隙５０を形成する。片持ち梁脚４９は、針幹部１２の下部に対して弾性的に動くことができる。そのため、カム装置により高さ方向Ｈに片持ち梁脚４９に対して働く力は、片持ち梁脚４９の弾性により少なくとも部分的に支えられる。このようにして、編み機針１１の接触面２０は、編成シリンダの針流路又は案内流路の底部に非常に良好に当接する。特にこの位置決め精度の改善がさらに達成されたのは、接触面２０に窪み及び凹みがなく、編成作業中にゴミが溜まることがないからである。これは、短繊維糸で編む際に特に優位性がある。
【００５８】
本発明は編み機工具１０に関し、特に長さ方向Ｌに延び、下側に接触面２０を備える針幹部を有する編み機針１１に関する。ループ形成用に構成された端部１８の他は、接触面２０は平面Ｅで連続的に延び、前端部１８の反対側の針幹部１２の後端１４への移行部へと達する。前方案内部４５と後方案内部４６の間に、バット２７を有するバット部２６が存在する。各案内部において、案内片持ち梁４７が存在する。案内片持ち梁４７は高さ方向Ｈに針幹部１２から離れるように延び、案内片持ち梁４７の片持ち梁脚４９と下方に配置された針幹部１２の部分との間の間隙５０を形成する。
【符号の説明】
【００５９】
１０      編み機工具
１１      編み機針
１２      針幹部
１３      前端
１４      後端
１５      針フック
１６      閉鎖要素
１７      べら
１８      前端部
１９      ループ受け取り部
２０      接触面
２１      上側
２２      側面
２６      バット部
２７      バット
２８      バット基礎
２９      バット上部領域
３０      バット前端
３１      バット後端
３２      遷移位置
３３      バット上端
３４      バット凹み
３５      逃げ面
３６      接続部
４０      前方湾曲部
４１      後方湾曲部
４５      前方案内部
４６      後方案内部
４７      案内片持ち梁
４８      接続脚
４９      片持ち梁脚
５０      間隙
５１      脚端
５２      接続脚の内縁
５３      接続脚の外縁
５７      中間部
α        傾斜角
Ａ        ピボット軸
ｂ        基礎高
ｃ        片持ち梁高
ｄ        間隙高
Ｈ        高さ方向
Ｌ        長さ方向
Ｑ        横断方向
Ｒ１      第１の曲率半径
Ｒ２      第２の曲率半径
Ｒ３      第３の曲率半径
Ｒ４      第４の曲率半径
ｓ１      第１の脚幅
ｓ２      第２の脚幅
ｔ        バット凹みの深さ
ｘｇ      全長
ｘ１      前端部の長さ
ｘ２      前方針幹部の長さ
ｘ３      バット部の長さ
ｘ４      案内部の長さ
ｘ５      中間部の長さ
ｚ        シャンク高
ｚ１      第１の針幹高
ｚ２      第２の針幹高
ｚ３      第３の針幹高
【図１】
2020012226.tif 000003
【図２】
2020012226.tif 000004
【図３】
2020012226.tif 000005
【図４】
2020012226.tif 000006